(57)【要約】 【課題】  十分な駆動出力および十分な作動速度が得られるソレノイド駆動バルブおよび高速応答ソレノイドを提供すること。【解決手段】  ソレノイド駆動バルブ用ソレノイドは略矩形または略楕円形の断面を有するボビンと、ボビンに対して固定された極板と、コイルにより極板を介して生成された磁界に反応しボビン内部で摺動可能な電機子を備える。ボビンに巻かれたコイルは、略矩形の断面を有し、その短軸辺は幅Ｗである。幅Ｗと電機子の断面積と等しい断面積を有する円柱状の仮想鉄芯の直径Ｄとして、直径Ｄと幅Ｗとの比（Ｄ／Ｗ）は０．４〜０．８の範囲とされる。電機子の長軸辺の長さＡの電機子の短軸辺の長さＢに対する比（Ａ／Ｂ）は３．１以上４．５以下の範囲である。【選択図】 図３
2006049918.tif 000002
【特許請求の範囲】
【請求項１】
断面略矩形の形状を有するボビンと、
前記ボビンに巻かれたコイルと、
前記コイルにより生成された磁界に反応して摺動するよう前記ボビン内部に設けられ、短軸辺と長軸辺を有する略矩形に形成された電機子と、を備えたソレノイドであって、
前記電機子の前記長軸辺の長さＡの前記電機子の前記短軸辺の長さＢに対する比（Ａ／Ｂ）が３．１以上４．５以下の範囲である、ことを特徴とするソレノイド。
【請求項２】
請求項１に記載のソレノイドにおいて、 
前記ボビン内部に形成された貫通孔と、
前記ボビンの前記貫通孔内に配置され、前記ボビンと前記電機子との間に位置するブッシュ、とを備えたことを特徴とするソレノイド。
【請求項３】
請求項１または請求項２に記載のソレノイドにおいて、
前記ボビンに対して固定された極板を備え、前記コイルにより前記極板を介して前記磁界が生成され、
前記コイルにより前記極板を介して生成された前記磁界に反応して、前記電機子が前記極板に向かって摺動することを特徴とするソレノイド。
【請求項４】
請求項３に記載のソレノイドにおいて、 
前記ボビンは一端および他端を備え、
前記極板は前記ボビンの前記一端に近接配置され、前記電機子は前記ボビンの前記他端まで摺動可能に支持されることを特徴とするソレノイド。
【請求項５】
請求項４に記載のソレノイドにおいて、前記極板は前記ボビンの前記貫通孔内に位置する極板部を備えたことを特徴とするソレノイド。
【請求項６】
請求項１から請求項５までの何れかに記載のソレノイドにおいて、前記ブッシュが非磁性金属材料で構成されることを特徴とするソレノイド。
【請求項７】
請求項１から請求項６までの何れかに記載のソレノイドにおいて、 
前記コイルの短軸辺の幅Ｗと、
電機子の第１断面積と、を備え
円柱状の仮想鉄芯の直径Ｄとして、この直径Ｄと前記幅Ｗとの比（Ｄ／Ｗ）が０．４〜０．８の範囲とされ、前記円柱状の仮想鉄芯は前記電機子の第１断面積に等しい第２断面積を有することを特徴とするソレノイド。
【請求項８】
請求項１から請求項７までの何れかに記載のソレノイドにおいて、前記コイルは、直径０．１８８ｍｍ〜０．１５０ｍｍのワイヤで構成されたことを特徴とするソレノイド。
【請求項９】
断面略矩形の形状を有するボビンと、
前記ボビンに巻かれたコイルと、
前記ボビン内部に摺動可能に設けられコイルにより生成された磁界に反応して摺動し、短軸辺と長軸辺と第１断面積を有する略矩形に形成された電機子と、を備えたソレノイドであって、
前記電機子の前記長軸辺の長さＡの前記電機子の前記短軸辺の長さＢに対する比（Ａ／Ｂ）が３．１以上４．５以下の範囲であり、
円柱状の仮想鉄芯の直径Ｄとして、この直径Ｄと前記幅Ｗとの比（Ｄ／Ｗ）が０．４〜０．８の範囲とされ、前記円柱状の仮想鉄芯は前記電機子の第１断面積に等しい第２断面積を有することを特徴とするソレノイド。
【請求項１０】
請求項９に記載のソレノイドにおいて、 
前記ボビン内部に形成された貫通孔内に支持され、前記ボビンに対して略固定され前記電機子と前記ボビンとの間に配置されたブッシュを備え、
前記ブッシュは前記電機子を摺動可能に支持することを特徴とするソレノイド。
【請求項１１】
請求項１０に記載のソレノイドにおいて、前記ブッシュが非磁性金属材料で構成されることを特徴とするソレノイド。
【請求項１２】
請求項１０または請求項１１に記載のソレノイドにおいて、前記ブッシュが真鍮材料で構成されることを特徴とするソレノイド。
【請求項１３】
請求項９から請求項１２までの何れかに記載のソレノイドにおいて、 
前記ボビンに接続可能な固定極板と、
前記電機子に直接当接し、前記固定極板内に貫通して形成された孔内を摺動可能に並進するプッシュピンと、を備え
前記コイルにより前記固定極板を介して生成された前記磁界に反応して、前記電機子が前記固定極板に向かって摺動することを特徴とするソレノイド。
【請求項１４】
請求項１３に記載のソレノイドにおいて、前記固定極板は、前記ボビンの前記貫通孔内に配置可能な部分を含むことを特徴とするソレノイド。
【請求項１５】
請求項９から請求項１４までの何れかに記載のソレノイドにおいて、前記コイルは、直径０．１８８ｍｍ〜０．１５０ｍｍのワイヤにより構成されたことを特徴とするソレノイド。
【請求項１６】
バルブと、前記バルブを駆動して開閉を切り替える略矩形のソレノイドと、を備えたソレノイド駆動バルブであって、
前記ソレノイドは、
断面略矩形の形状を有するボビンと、
前記ボビンに巻かれたコイルと、
前記ボビンに対して固定された固定極板と、
前記ボビン内部に摺動可能に設けられ、前記コイルにより前記極板を介して生成された磁界に反応して前記極板に向かって摺動し、短軸辺と長軸辺を有する略矩形に形成された電機子と、を備え、
電機子の長軸辺の長さＡの電機子の短軸辺の長さＢに対する比（Ａ／Ｂ）が３．１以上４．５以下の範囲である、ことを特徴とするソレノイド駆動バルブ。
【請求項１７】
請求項１６に記載のソレノイド駆動バルブにおいて、 
略矩形のバルブ本体と、
前記バルブ本体内部に摺動可能に配置されたバルブ部材と、を備えたことを特徴とするソレノイド駆動バルブ。
【請求項１８】
請求項１７に記載のソレノイド駆動バルブにおいて、前記ソレノイドは、前記電機子に直接当接し前記電機子の動きによってバルブ本体の位置を再配置させるために並進されるプッシュピンを備えたことを特徴とするソレノイド駆動バルブ。
【請求項１９】
請求項１８に記載のソレノイド駆動バルブにおいて、    
ボビン貫通孔内部に配置可能な前記極板のコア部と、
前記プッシュピンを摺動可能に支持するように形成された極板貫通孔と、を備えたことを特徴とするソレノイド駆動バルブ。
【請求項２０】
請求項１７から請求項１９までの何れかに記載のソレノイド駆動バルブにおいて、前記バルブ部材を、前記開位置から前記閉位置へと付勢可能な付勢手段を備えたことを特徴とするソレノイド駆動バルブ。
【請求項２１】
請求項１７から請求項２０までの何れかに記載のソレノイド駆動バルブにおいて、前記バルブ本体は、吸入口、吐出口および排出口を備え、前記吸入口は、前記閉位置において前記バルブ部材により前記吐出口および前記排出口から隔離されることを特徴とするソレノイド駆動バルブ。
【請求項２２】
請求項１６から請求項２１までの何れかに記載のソレノイド駆動バルブにおいて、前記コイルは、直径０．１８８ｍｍ〜０．１５０ｍｍのワイヤで構成されることを特徴とするソレノイド駆動バルブ。
【請求項２３】
略矩形断面を有するボビンと、前記ボビンに巻かれたコイルと、前記ボビン内部に摺動可能に配置され短軸辺および長軸辺を有する略矩形に形成された電機子と、を備えたソレノイド駆動バルブ用ソレノイドの動作速度を増加させる方法であって、
前記電機子の前記長軸辺の長さＡの前記電機子の前記短軸辺の長さＢに対する比（Ａ／Ｂ）が３．１以上４．５以下の範囲であるよう前記電機子を製造する工程と、
前記コイルを励磁し、前記コイルにより生成され前記電機子を通る磁界を利用して前記電機子を並進させる工程と、を備えたことを特徴とする方法。
【請求項２４】
請求項２３に記載の方法において、
プッシュピンを使って前記電機子をバルブ部材に接続する工程と、
前記励磁工程において、閉位置から開位置へと前記バルブ部材の位置を再配置させる工程と、を備えたことを特徴とする方法。
【請求項２５】
請求項２４に記載の方法において、
前記コイルを非励磁させる工程と、
前記コイルの非励磁によって、前記バルブ部材が前記閉位置へと戻るよう前記バルブ部材を付勢する工程と、を備えたことを特徴とする方法。  
【請求項２６】
請求項２５に記載の方法において、非磁性材料で構成されたブッシュを前記電機子と前記ボビンとの間に配置し、前記電機子と前記ボビンとの間の摩擦と磁力を減少させ、前記電機子の非励磁復帰速度を増加させる工程を備えたことを特徴とする方法。
【請求項２７】
請求項２３から請求項２６までの何れかに記載の方法において、直径０．１８８ｍｍ〜０．１５０ｍｍのワイヤでコイルを巻く工程を備えたことを特徴とする方法。
【請求項２８】
請求項２７に記載の方法において、前記励磁工程において、約２１５ワット以下の電力を前記コイルに流す工程を備えたことを特徴とする方法。
【請求項２９】
請求項２８に記載の方法において、前記電力および前記ワイヤゲージサイズのうち少なくともいずれか一方を採用し、前記ソレノイドおよびバルブのサイクルタイムを約３４０マイクロ秒に短縮させる工程を備えたことを特徴とする方法。
【請求項３０】
請求項２３に記載の方法において、 
前記ボビンに対して極板を固定する工程と、
極板のコア部を前記ボビンの貫通孔内部に配置する工程と、を備えたことを特徴とする方法。
【発明の詳細な説明】
【技術分野】
【０００１】
本発明はソレノイド駆動バルブ、高速応答ソレノイド、およびソレノイド駆動バルブ用ソレノイドの動作速度を増加させる方法に関する。
【背景技術】
【０００２】
ソレノイド駆動バルブとしては、ワイヤコイルとして構成された巻き線を支持するボビンを備えたものが知られている。一般的に鉄などの導電材料で形成された固定芯または極板はボビンの中央孔に隣接して配置されている。可動電機子はボビン孔内に摺動自在に配置され、コイルの巻き線内に電流を流すと、前記電機子は前記固定極板に向かって並進するように誘導される。この電機子の並進を機械的に利用し、電機子と当接するとともにバルブ本体内でバルブ装置と当接するプッシュピンを利用し、バルブ装置を駆動する。付勢装置は、通常バルブ装置を元の位置に戻し、これにより電機子も移動し非励磁位置に戻す。したがって、このようなソレノイド駆動バルブの動作サイクルはコイルの励磁開始時から電機子が元の位置に戻るまでとなる。
【０００３】
特定の動作用に最大数のバルブを確保するためにバルブの本体寸法の小型化が望まれる場合、コイルの巻き線の寸法を減らす必要があり、それにより電機子と極板との間の引力および／またはバルブの動作速度が減少する。この問題を解決するため、従来は、ソレノイドの形状を略矩形に形成し、ソレノイドの幅方向におけるコイルの巻き線数が用途に応じた必要量に等しくなるようソレノイドの形状を変更していた。矩形に形成されたコイルとその構造の一例は、特許文献１に開示されている。この特許文献１は、電機子と極板との間に発生する引力と電力消費量を計算する既知の方法についてのものである。
【０００４】
【特許文献１】米国特許第６，６９８，７１３号
【発明の開示】
【発明が解決しようとする課題】
【０００５】
前述した特許文献１は、ソレノイド内側コイルの長軸または長辺の長さＡのソレノイド内側コイルの短軸または短辺の長さＢに対する比を開示しており、この比（Ａ／Ｂ）は１．３以上３．０以下の関係を有する。この特許文献１では比（Ａ／Ｂ）の範囲が限定されているためソレノイドの形状が制限されてしまい、よってソレノイドおよびこれを用いたバルブが特定の用途とされる場合（特に、狭くまたはきつく配置される場合）においては、望ましいソレノイドのワット数つまり駆動出力が得られず、バルブとして十分な作動速度を得られないおそれがある。
【０００６】
本発明の目的は、十分な駆動出力および十分な作動速度が得られるソレノイド駆動バルブ、高速応答ソレノイド、およびソレノイド駆動バルブ用ソレノイドの動作速度を増加させる方法を提供することにある。
【課題を解決するための手段】
【０００７】
本発明の好適な実施形態に係るソレノイド駆動バルブおよび高速応答ソレノイドは、断面略矩形を有するボビンを備える。コイルは前記ボビンに巻かれる。固定極板は前記ボビンに対して固定される。電機子は、前記ボビン内部に摺動可能に配置され、前記コイルにより前記極板を介して生成された磁界に反応し、前記極板に向かって摺動する。前記電機子は、略矩形に形成され、短軸辺と長軸辺を有する。前記電機子の長軸辺の長さＡの前記電機子の短軸辺の長さＢに対する比（Ａ／Ｂ）は、３．１以上で４．５以下の範囲を有する。
【０００８】
本発明の他の好適な形態として、前記固定極板はボビンの一端に位置し、前記固定極板のコア部がボビン内部に形成された貫通孔内に延出する。ブッシュは前記貫通孔に配置され、前記ボビンに対し略固定される。前記ブッシュは前記電機子と前記ボビンの内壁との間に位置し、前記電機子と前記ボビンの内壁との間のすべりばめとして機能する。前記ブッシュに使用される真鍮などの非磁性材料により前記電機子から前記ブッシュへの磁力と摩擦は減少され、それにより、ソレノイドに接続されたバルブの非励磁位置復帰速度が増加される。
【０００９】
本発明の効果として、使用可能な動作ワット数が増加されること、取り付けたバルブのサイクルタイムが短縮されること、また移動部品の摩擦による磨耗の起こりにくいソレノイドが提供できることが挙げられる。径の小さいワイヤを用いることにより、ソレノイドの動作力および生成される駆動力が増加されるという効果も得られる。本発明のソレノイドの形状を採用することにより、所定のソレノイドサイズに対するサイクルタイムの短縮を図ることができる。
【００１０】
本発明の更なる適用分野は、以下の詳細な説明から明らかとなるであろう。尚、本発明の好適な実施形態について説明するが、以下の詳細な説明および具体的な例は単に説明のためのものであり、本発明の範囲を限定するものではないということに留意されたい。
【発明を実施するための最良の形態】
【００１１】
以下、本発明の好適な実施形態について説明する。なお、以下の実施形態は、単に本発明の一例を説明するものであり、本発明の範囲、その用途や利用法を限定するものではない。
【００１２】
図１に示すように、バルブ装置１０はバルブ本体１４とソレノイド１２とを有する。ソレノイド１２は、バルブ本体１４のバルブ本体取付面１６に取り付けられている。
バルブ本体１４の内部部品は、通常バルブ装填面１８から装填される。バルブ本体１４には、例えば図中上側の流体供給面２６に吸入口２０、吐出口２２および排出口２４が配置される。なお、本発明において、これらの流体の出入口の向き及び数は特に限定されない。
【００１３】
図２に示すように、ソレノイド１２は極板２８を備え、この極板２８がバルブ本体取付面１６に接続され、ソレノイド１２とバルブ本体１４との界面を構成する。極板２８の略外周には磁束フレーム３０が形成され、この磁束フレーム３０により、コイル３２を構成する個々のワイヤの外側境界が規定される。
コイル３２は少なくとも一本以上の個々のワイヤ３１を一巻以上巻いて構成され、ワイヤ径は０．１８８ｍｍ〜０．１５０ｍｍ（米国のマグネットワイヤサイズで約３３．５〜３５．５ゲージ）である。極板２８の中央のコア部３３はコイル３２の内部空間に配置される。電機子３４もまたコイル３２の内部空間に配置される。通常、極板２８と電機子３４は共に鉄などの導電性および磁性を有する材料で形成される。電機子３４は、ブッシュ３６内部に摺動自在に設けられ、ブッシュ内壁３８と電機子３４の外壁４０とは互いに摺動可能に当接されている。
【００１４】
ソレノイド１２は、外部からソレノイド１２を密閉するためのカバー４２を備える。
カバー４２は、アダプタ４４と１つ以上の締付手段４６により磁束フレーム３０に接続される。カバー４２の内部には、リードピン５０と直接当接する電流分布板４８が配置される。リードピン５０は絶縁ブッシュ５２の内部に配置され、カバー４２から絶縁される。コイル３２の巻き線に供給された電流は、リードピン５０を経由し電流分布板４８、更にはコイルコネクタ５４に流される。
【００１５】
電機子３４は、ソレノイド１２が非励磁状態の時、図２に示される位置にある。この状態で、調整装置５６は電機子３４に当接し、非励磁位置での電機子３４の位置止めとして機能している。調整装置５６には、カバー４２内における電機子３４の位置決めを調整装置５６との係合深さで調整できるよう、溝を設けてもよい。
電流がコイル３２に流され、コイル３２、極板２８、電機子３４に磁束が生成されると、電機子３４は非励磁位置から矢印Ｘの方向へ移動する。すなわち、電機子３４は極板２８の方へひきつけられる。この矢印Ｘ方向への電機子３４の並進により、電機子３４に直接当接するプッシュピン５８も移動する。クリアランス孔５９は極板２８内に設けられ、プッシュピン５８を、矢印Ｘで表される励磁方向もしくは矢印Ｙで表される戻り方向（非励磁方向）へ摺動させる。
【００１６】
プッシュピン５８はバルブ本体１４内に設けられるバルブ部材６０の一端に直接当接する。バルブ部材６０は、矢印Ｘ、Ｙの各方向に移動できるようバルブ本体１４内に摺動可能に設けられる。
図２に示されるソレノイドの非励磁位置では、バルブ部材６０は閉位置にあり、この時、吸入口２０における流体圧力は吐出口２２、排出口２４の両方から隔離されている。端部押さえ手段６２はバルブ部材６０の他端を摺動可能に支持し、バルブ部材６０の摺動動作のポジティブストップとして機能する。
端部押さえ手段６２は、通常ねじ山を介して、バルブ本体１４に締付可能に接続されている。付勢手段６４はバルブ部材６０と端部押さえ手段６２との間に双方に当接して配置される。
【００１７】
付勢手段６４はバルブ部材６０を端部押さえ手段６２から離間する方向へ付勢し、ソレノイド１２が非励磁状態の際、矢印Ｙ方向への垂直不勢力を加え、バルブ部材６０およびプッシュピン５８を電機子３４とともにを矢印Ｙ方向へ戻す。付勢手段６４およびバルブ部材６０はバルブ本体１４のバルブ孔６５内部に配置される。バルブ部材６０はバルブ部材の各種デザインのうちの一例である。本発明では、バルブ部材６０は特定のデザインに限定されない。コイル３２は、略矩形または略楕円形のボビン６６を中心にコイル３２の個々のワイヤが巻かれているため、略矩形または略楕円形に形成される。ボビン６６は一端６７と他端６８を有する。貫通孔６９がボビン６６内に形成され、極板２８のコア部３３を摺動可能に支持し、更にブッシュ３６を支持する。
【００１８】
図３において、ソレノイド１２の断面形状を示す。コイル幅Ｗは、ソレノイド１２の全幅における最大幅である。図中、複数の孔７０が示され、各孔７０はソレノイド１２をバルブ本体１４に接続可能に取り付けるため図示しない締付手段へ連通する。コイル幅Ｗはコイル３２の短軸の長さを規定する。ボビン６６の貫通孔６９内に配置されるブッシュ３６は、コイル３２の内周長と電機子３４の断面積Ｓを規定する。直径Ｄを有する円７２は、断面積Ｓと等しい断面積を持つ円柱状の仮想鉄芯を表す。すなわち、円７２は、単に理論上の環状鉄芯との比較をするために使われる仮想部材であり、以下の式で表現される。
［数１］
Ｓ＝（πＤ２／４）
【００１９】
円７２の直径Ｄおよびコイル幅Ｗは、直径Ｄと幅Ｗとの比（Ｄ／Ｗ）が０．４〜０．８の範囲とされ、以下の式に表される関係を有する。
［数２］
Ｄ＝（０．４〜０．８）Ｗ
【００２０】
電機子３４について、電機子３４の長軸Ａは電機子３４の短軸である長さＢと関連する。ＡのＢに対する比（Ａ／Ｂ）は、３．１以上４．５以下の範囲とされ、以下の式によって表される。
［数３］
３．１≦Ａ／Ｂ≦４．５
【００２１】
電機子３４のＡのＢに対する比（Ａ／Ｂ）の範囲を上記の通り設定することにより、コイル３２に対してより大きな電流およびワット数を使用することができるように、コイル幅Ｗに対するコイル３２の長さＬを最大に設定できる。
ソレノイド制御バルブの産業では、通常約４〜５ワットの作動ワット数が使用される。約１６ワットの電力を用いることで、より高速で動作するソレノイドを提供することができる。本発明のソレノイド１２は、約２１５ワットまで動作可能である。
【００２２】
このような効果は、第１にコイル３２および電機子３４の形状と、第２にコイル３２のワイヤとして約０．１８８ｍｍ〜０．１５０ｍｍ（３３．５〜３５．５ゲージ）の細いワイヤを使用すること、により達成される。
ソレノイド１２のワット数の増加により、バルブ装置１０の作動速度は著しく向上する。ワット数が高いほど、より大きい磁束がコイル３２に生成され、それにより電機子３４の移動速度が増加するためである。本発明のソレノイド設計により、約３ミリ秒サイクルタイムを有する既存の４ワットのソレノイドバルブ設計と比較して、サイクルタイムを約３４０マイクロ秒に短縮させることができる。
【００２３】
本実施形態のバルブ装置１０では、ブッシュ３６に非磁性材料、より好ましくは真鍮を用いることで、更なる改善を図ることができる。
非磁性材料、特に真鍮のような材料をブッシュ３６に使用すると、電機子３４とブッシュ３６との間の摩擦係数が低くなる。更に、ブッシュ３６の非磁性特性によって、図２に示す非励磁位置に戻る際、電機子３４とブッシュ３６との間に磁力の発生する可能性が減少する。これにより、バルブ装置１０の動作時間がさらに短縮される。バルブ装置１０の動作時間、すなわち動作サイクルは、電流がコイル３２に流され始めて電機子３４が移動を開始してから図２に示す非励磁位置に電機子３４が戻るまでに要する時間により規定される。
このように本実施形態のバルブ装置１０によって全体的なサイクルタイムの短縮が達成され、このようなバルブ装置１０は、高速度での物質移動や短サイクルタイムの選別機作動用バルブを必要とする選別作業等の作業に適用可能である。
【００２４】
図４は、ソレノイド１２の励磁状態におけるバルブ部材６０の位置を示す。この位置において、流路Ｅが吸入口２０および吐出口２２間に形成される。付勢手段６４は加圧され、ソレノイド１２が非励磁状態になるとバルブ部材６０を図２に示す位置へと戻す付勢力が発生する。
更に図４は、バルブ部材６０の上端（図４中）を摺動可能に支持する内壁７６を有する挿入部７４を示す。流路７８はバルブ部材６０内の長手方向に貫通して形成され、バルブ部材６０が矢印Ｘ方向または矢印Ｙ方向へ並進する際、バルブ部材６０のいずれか一端にある流体を他端側へと移動させる。付勢手段６４により生成される矢印Ｙ方向の付勢力は、バルブ部材６０を図２に示す位置へと戻す。付勢手段６４の一部を内包する流体／付勢部材室８０内の流体もまた流路７８を介して移動し、矢印Ｘ方向または矢印Ｙ方向のいずれかへのバルブ部材６０の並進を可能とする。
【００２５】
以上のように、本実施形態の効果として、より高い動作ワット数を使用できることが挙げられ、ソレノイド駆動バルブのサイクルタイムの短縮、および／またはソレノイド駆動バルブのソレノイド駆動力の増加が達成できる。
さらに、移動部品の摩擦による磨耗が起こりにくいソレノイド装置を提供することができる。また径の小さいワイヤを用いることにより、ソレノイドの動作力およびソレノイドにより生成される駆動力が増加する。さらに本発明のソレノイドの形状を採用することにより、特定の寸法のソレノイドにおいてサイクルタイムの短縮を図ることができる。
【００２６】
以上に述べた本実施形態は、本発明の本質的な一例にすぎない。そして、本発明の要旨を逸脱しない変更は、本発明に含まれるものである。
例えば、出入口は追加してもよいし、図２に示す構成とは向きの異なる出入口を使用してもよい。したがって、デザイン、位置、数量の異なるバルブ口に適合できるようバルブ部材６０の形状は変更してもよい。
本発明のバルブ本体の寸法の一例は、長さ約２０．６ｍｍ（０．８１インチ）、高さ約１６．６ｍｍ（０．６６インチ）、奥行約７．９ｍｍ（０．３１インチ）である。本発明のソレノイドの寸法の一例は、奥行がバルブ本体の奥行に略一致して約７．９ｍｍ（０．３１インチ）であり、長さおよび高さはバルブ本体の寸法の約３／４である。
これらの寸法は一例に過ぎず、バルブ本体とソレノイドの寸法は変更可能である。上記のような変更は本発明の範囲から逸脱するものとはみなされない。
【図面の簡単な説明】
【００２７】
【図１】本発明のソレノイド駆動バルブ用高速応答ソレノイドの斜視図である。
【図２】前記図１の２−２断面を示す縦断面図である。
【図３】前記図２の３−３断面を示す横断面図である。
【図４】前記図２と同様の縦断面図であり、バルブが励磁／開位置にある状態を示す。
【符号の説明】
【００２８】
１０      バルブ装置
１２      ソレノイド
１４      バルブ本体
２８      極板
３０      磁束フレーム
３１      ワイヤ
３２      コイル
３３      コア部
３４      電機子
３６      ブッシュ
５８      プッシュピン
６０      バルブ部材
６２      端部押さえ手段
６４      付勢手段
６５      バルブ孔
６６      ボビン
６９      貫通孔
【図１】
2006049918.tif 000003
【図２】
2006049918.tif 000004
【図３】
2006049918.tif 000005
【図４】
2006049918.tif 000006